(57)【要約】【課題】  プラグハウジング及びレセプタクルハウジングの削れ及び破損を防止し、繰り返し嵌合時、抜去時の強度を向上すること。【解決手段】  コンタクト１１を保持するプラグハウジング２１は、レセプタクルコネクタ１０１のレセプタクル嵌合部１２３を受け入れるプラグ嵌合部２３を有し、プラグハウジング２１の第１プラグ壁部２５，２６のプラグ内壁面２５ｂ，２６ｂ、前記第１プラグ壁部２５，２６のプラグ外壁面２５ｃ，２６ｃのうちの少なくとも一方と前記第１プラグ壁部２５，２６のプラグ嵌合面２５ａ，２６ａとを覆う金属製のプラグ部材が配設されている。【選択図】    図１
2006331679.tif 000002
【特許請求の範囲】
【請求項１】
導電性のコンタクトと、該コンタクトを保持する絶縁性のプラグハウジングとを含むプラグコネクタにおいて、
前記プラグハウジングは、レセプタクルコネクタのレセプタクル嵌合部に嵌合するよう枠形状に形成されているプラグ嵌合部を有し、
前記プラグ嵌合部は、互いに平行に対向している一対の第１プラグ壁部と、互いに平行に対向し複数の前記コンタクトがピッチ方向で間隔をもって配設されて前記第１プラグ壁部の両端側で前記第１プラグ壁部間を接続している一対の第２プラグ壁部とを有し、
前記第１プラグ壁部は、前記プラグコネクタと前記レセプタクルコネクタとが嵌合する際に前記レセプタクル嵌合部に対向するプラグ嵌合面と、前記プラグ嵌合部の内側で前記プラグ嵌合面と隣接するプラグ内壁面と、前記プラグ嵌合部の外側で前記プラグ嵌合面と隣接するプラグ外壁面とを有し、
前記第１プラグ壁部には、前記プラグ内壁面、前記プラグ外壁面のうちの少なくとも一方と前記プラグ嵌合面とを覆う金属製のプラグ部材が配設されていることを特徴とするプラグコネクタ。
【請求項２】
前記プラグ部材は、前記プラグハウジングに保持されており、前記プラグ部材の表面が前記プラグ部材を配設する前記プラグハウジングの表面と略同一面になるように前記プラグハウジングにモールドインによって一体に保持されていることを特徴とする請求項１記載のプラグコネクタ。
【請求項３】
導電性のコンタクトと、該コンタクトを保持する絶縁性のレセプタクルハウジングとを含むレセプタクルコネクタにおいて、
前記レセプタクルハウジングは、プラグコネクタのプラグ嵌合部に嵌合するよう略四角形状に形成されているレセプタクル嵌合部と、該レセプタクル嵌合部に間隔もって配置されているレセプタクル外壁部とを有し、
前記レセプタクル嵌合部は、前記コンタクトが配設されたピッチ方向に対応する一対のレセプタクル壁部を有し、
前記レセプタクル壁部は、前記レセプタクルコネクタと前記プラグコネクタとが嵌合する際に前記プラグ嵌合部に対向するレセプタクル嵌合面と、前記レセプタクル嵌合面と隣接するレセプタクル内壁面とを有し、
前記レセプタクル外壁部は、前記レセプタクルコネクタと前記プラグコネクタとが嵌合する際に前記プラグ嵌合部に対向するレセプタクル嵌合面と、前記レセプタクル嵌合部の前記レセプタクル内壁面に対向しかつ前記レセプタクル外壁部の前記レセプタクル嵌合面と隣接するレセプタクル内壁面とを有し、
前記レセプタクルハウジングには、前記プラグ嵌合部のレセプタクル嵌合面及び前記レセプタクル嵌合部の前記レセプタクル嵌合面、前記レセプタクル外壁部の前記レセプタクル内壁面及び前記レセプタクル外壁部の前記レセプタクル内壁面のうちの少なくとも一方を覆う金属製のレセプタクル部材が配設されていることを特徴とするレセプタクルコネクタ。
【請求項４】
前記レセプタクル部材は、前記レセプタクルハウジングに保持されており、前記レセプタクル部材の表面が前記レセプタクル部材を配設する前記レセプタクルハウジングの表面と略同一面になるように前記レセプタクルハウジングにモールドインによって一体に保持されていることを特徴とする請求項３記載のレセプタクルコネクタ。
【発明の詳細な説明】
【技術分野】
【０００１】
本発明は、プラグコネクタと、プラグコネクタに嵌合するレセプタクルコネクタに関する。
【背景技術】
【０００２】
近年、電気接続用多極コネクタは、携帯機器の小型化により機器内の部品の省スペース化を要求されており、インシュレータに配設される複数のコンタクト間のピッチを狭ピッチにすることが必須条件となっている。隣接するコンタクトの距離は、狭ピッチになるとそれだけ狭くなり接触に対する品質が問われることになる。
【０００３】
先行技術１のコネクタとしては、ホールドダウンを利用して取付対象物に電気的及び機械的に固定して補強を行うコネクタがある（例えば、特許文献１を参照）。
【０００４】
先行技術２のコネクタとしては、インシュレータに圧入されるホールドダウンを有し、ホールドダウンによって強度を向上できるコネクタがある（例えば、特許文献２を参照）。
【０００５】
【特許文献１】特開２００３−２９７４８５号公報
【特許文献２】特開２００２−３０５０４７号公報
【発明の開示】
【発明が解決しようとする課題】
【０００６】
特許文献１．２のコネクタは、プラグコネクタとレセプタクルコネクタとの嵌合をインシュレータ（ハウジング、モールド）部品同士で嵌合をしている構造であり、インシュレータ同士によって嵌合すると、嵌合、抜去を繰り返していくうちに、インシュレータが削れたり破損したりして、各々の接触がずれたり、短絡してしまうことから接触不良の要因となるという問題がある。
【０００７】
また、特許文献１．２のコネクタでは、プラグコネクタとレセプタクルコネクタとを抜去するときに、回転方向の抉り抜去による対策として補強用としてのホールドダウンを有するが、ホールドダウンをインシュレータに取り付ける作業があるので作業工数が増加してしまうという問題がある。
【０００８】
それ故に、本発明の課題は、繰り返し嵌合時、抜去時にプラグハウジング及びレセプタクルハウジングが削れることや破損することを防止でき、繰り返し嵌合時、抜去時の強度を向上することができるプラグコネクタ及びレセプタクルコネクタを提供することにある。
【０００９】
また、本発明の他の課題は、組立作業性を向上することができるプラグコネクタ及びレセプタクルコネクタを提供することにある。
【課題を解決するための手段】
【００１０】
本発明によれば、導電性のコンタクトと、該コンタクトを保持する絶縁性のプラグハウジングとを含むプラグコネクタにおいて、前記プラグハウジングは、レセプタクルコネクタのレセプタクル嵌合部に嵌合するよう枠形状に形成されているプラグ嵌合部を有し、前記プラグ嵌合部は、互いに平行に対向している一対の第１プラグ壁部と、互いに平行に対向し複数の前記コンタクトがピッチ方向で間隔をもって配設されて前記第１プラグ壁部の両端側で前記第１プラグ壁部間を接続している一対の第２プラグ壁部とを有し、前記第１プラグ壁部は、前記プラグコネクタと前記レセプタクルコネクタとが嵌合する際に前記レセプタクル嵌合部に対向するプラグ嵌合面と、前記プラグ嵌合部の内側で前記プラグ嵌合面と隣接するプラグ内壁面と、前記プラグ嵌合部の外側で前記プラグ嵌合面と隣接するプラグ外壁面とを有し、前記第１プラグ壁部には、前記プラグ内壁面、前記プラグ外壁面のうちの少なくとも一方と前記プラグ嵌合面とを覆う金属製のプラグ部材が配設されていることを特徴とするプラグコネクタであることを最も主要な特徴とする。
【００１１】
また、本発明によれば、導電性のコンタクトと、該コンタクトを保持する絶縁性のレセプタクルハウジングとを含むレセプタクルコネクタにおいて、前記レセプタクルハウジングは、プラグコネクタのプラグ嵌合部に嵌合するよう略四角形状に形成されているレセプタクル嵌合部と、該レセプタクル嵌合部に間隔もって配置されているレセプタクル外壁部とを有し、前記レセプタクル嵌合部は、前記コンタクトが配設されたピッチ方向に対応する一対のレセプタクル壁部を有し、前記レセプタクル壁部は、前記レセプタクルコネクタと前記プラグコネクタとが嵌合する際に前記プラグ嵌合部に対向するレセプタクル嵌合面と、前記レセプタクル嵌合面と隣接するレセプタクル内壁面とを有し、前記レセプタクル外壁部は、前記レセプタクルコネクタと前記プラグコネクタとが嵌合する際に前記プラグ嵌合部に対向するレセプタクル嵌合面と、前記レセプタクル嵌合部の前記レセプタクル内壁面に対向しかつ前記レセプタクル外壁部の前記レセプタクル嵌合面と隣接するレセプタクル内壁面とを有し、前記レセプタクルハウジングには、前記プラグ嵌合部のレセプタクル嵌合面及び前記レセプタクル嵌合部の前記レセプタクル嵌合面、前記レセプタクル外壁部の前記レセプタクル内壁面及び前記レセプタクル外壁部の前記レセプタクル内壁面のうちの少なくとも一方を覆う金属製のレセプタクル部材が配設されていることを特徴とするレセプタクルコネクタであることを最も主要な特徴とする。
【発明の効果】
【００１２】
本発明のプラグコネクタ及びレセプタクルコネクタによれば、プラグ嵌合部及びレセプタクル嵌合部に金属製のプラグ部材及びレセプタクル部材を一体に保持することにより、嵌合がプラグ部材及びレセプタクル部材同士によって決まり、繰り返し嵌合、抜去によるプラグ嵌合部及びレセプタクル嵌合部が削れることや破損するのを防止できるので、さらに半永久的な繰り返し挿抜での接触の信頼性や組立作業性を向上することができる。
【００１３】
また、プラグコネクタ及びレセプタクルコネクタには、金属製のプラグ部材及びレセプタクル部材を配設して半田付け部を形成することによって、プラグコネクタとレセプタクルコネクタとの抜去を行う時の回転方向の抉りによる強度を向上することができる。
【発明を実施するための最良の形態】
【００１４】
本発明のプラグコネクタは、導電性のコンタクトと、該コンタクトを保持する絶縁性のプラグハウジングとを含むプラグコネクタにおいて、前記プラグハウジングは、レセプタクルコネクタのレセプタクル嵌合部に嵌合するよう枠形状に形成されているプラグ嵌合部を有し、前記プラグ嵌合部は、互いに平行に対向している一対の第１プラグ壁部と、互いに平行に対向し複数の前記コンタクトがピッチ方向で間隔をもって配設されて前記第１プラグ壁部の両端側で前記第１プラグ壁部間を接続している一対の第２プラグ壁部とを有し、前記第１プラグ壁部は、前記プラグコネクタと前記レセプタクルコネクタとが嵌合する際に前記レセプタクル嵌合部に対向するプラグ嵌合面と、前記プラグ嵌合部の内側で前記プラグ嵌合面と隣接するプラグ内壁面と、前記プラグ嵌合部の外側で前記プラグ嵌合面と隣接するプラグ外壁面とを有し、前記第１プラグ壁部には、前記プラグ内壁面、前記プラグ外壁面のうちの少なくとも一方と前記プラグ嵌合面とを覆う金属製のプラグ部材が配設されていることにより実現した。
【００１５】
また、本発明のレセプタクルコネクタは、導電性のコンタクトと、該コンタクトを保持する絶縁性のレセプタクルハウジングとを含むレセプタクルコネクタにおいて、前記レセプタクルハウジングは、プラグコネクタのプラグ嵌合部に嵌合するよう略四角形状に形成されているレセプタクル嵌合部と、該レセプタクル嵌合部に間隔もって配置されているレセプタクル外壁部とを有し、前記レセプタクル嵌合部は、前記コンタクトが配設されたピッチ方向に対応する一対のレセプタクル壁部を有し、前記レセプタクル壁部は、前記レセプタクルコネクタと前記プラグコネクタとが嵌合する際に前記プラグ嵌合部に対向するレセプタクル嵌合面と、前記レセプタクル嵌合面と隣接するレセプタクル内壁面とを有し、前記レセプタクル外壁部は、前記レセプタクルコネクタと前記プラグコネクタとが嵌合する際に前記プラグ嵌合部に対向するレセプタクル嵌合面と、前記レセプタクル嵌合部の前記レセプタクル内壁面に対向しかつ前記レセプタクル外壁部の前記レセプタクル嵌合面と隣接するレセプタクル内壁面とを有し、前記レセプタクルハウジングには、前記プラグ嵌合部のレセプタクル嵌合面及び前記レセプタクル嵌合部の前記レセプタクル嵌合面、前記レセプタクル外壁部の前記レセプタクル内壁面及び前記レセプタクル外壁部の前記レセプタクル内壁面のうちの少なくとも一方を覆う金属製のレセプタクル部材が配設されていることにより実現した。
【実施例１】
【００１６】
以下、図面を参照して、本発明に係るプラグコネクタと、このプラグコネクタと嵌合するレセプタクルコネクタとの実施例１を説明する。図１は、本発明に係るプラグコネクタを示している。
【００１７】
図１を参照して、プラグコネクタ１は、導電性のプラグコンタクト１１と、複数のプラグコンタクト１１を保持している絶縁性のプラグハウジング２１とを有している。
【００１８】
プラグコンタクト１１は、プラグ保持部１１ａと、プラグ保持部１１ａの一方側に連接されて一方へ延びているプラグ接触部１１ｂと、プラグ保持部１１ａの他方側に連接されてプラグハウジング２１の外へ延びているプラグ端子部１１ｃとを有している。
【００１９】
プラグハウジング２１は、樹脂材によって成型されており、長四角枠形状に形成されているプラグ嵌合部２３を有している。プラグ嵌合部２３は、互いに平行に対向している一対の第１プラグ壁部２５，２６と、互いに平行に対向してプラグハウジング２１の長手方向（ピッチ方向Ａ）の両端で一対の第１プラグ壁部２５，２６の両端を接続している一対の第２プラグ壁部２７，２８とを有している。
【００２０】
一対の第１プラグ壁部２５，２６は、プラグハウジング２１のピッチ方向Ａを直交する方向に位置しておりかつ互いに平行に対向している。一対の第２プラグ壁部２７，２８には、プラグコンタクト１１のプラグ保持部１１ａがピッチ方向Ａで間隔をもって配設されている。
【００２１】
第１プラグ壁部２５，２６は、第１プラグ嵌合面２５ａ，２６ａと、プラグ嵌合部２３の内側で第１プラグ嵌合面２５ａ，２６ａに隣接している第１プラグ内壁面２５ｂ，２６ｂと、プラグ嵌合部２３の外側で第１プラグ嵌合面２５ａ，２６ａに隣接している第１プラグ外壁面２５ｃ，２６ｃとを有している。
【００２２】
第１プラグ壁部２５，２６には、第１プラグ嵌合面２５ａ，２６ａと第１プラグ内壁面２５ｂ，２６ｂとを覆うように金属製のプラグ部材４１,４２が配設されている。プラグ部材４１,４２は、プラグハウジング２１に保持されており、プラグ部材４１,４２の表面が第１プラグ壁部２５，２６の表面と略同一面になるようにプラグハウジング２１にモールドインによって一体に保持されている。
【００２３】
第２プラグ壁部２７，２８は、第２プラグ嵌合面２７ａ，２８ａと、プラグ嵌合部２３の内側で第２プラグ嵌合面２７ａ，２８ａと隣接している第２プラグ内壁面２７ｂ，２８ｂと、プラグ嵌合部２３の外側で第２プラグ嵌合面２７ａ，２８ａと隣接している第２プラグ外壁面２７ｃ，２８ｃとを有している。
【００２４】
プラグ嵌合部２３には、プラグコンタクト１１のプラグ保持部１１ａが保持されている。第２プラグ嵌合面２７ａ，２８ａ、第２プラグ内壁面２７ｂ，２８ｂ及び第２プラグ外壁面２７ｃ，２８ｃには、側面略逆Ｕ字状のプラグコンタクト１１のプラグ接触部１１ｂが配設されている。第２プラグ外壁面２７ｃ，２８ｃの下面には、プラグコンタクト１１のプラグ端子部１１ｃがピッチ方向Ａを直交する方向でプラグハウジング２１の外へ延びている。
【００２５】
図２は、プラグコネクタ１と嵌合するレセプタクルコネクタを示している。図２を参照して、レセプタクルコネクタ１０１は、導電性のレセプタクルコンタクト１１１と、レセプタクルコンタクト１１１を保持している絶縁性のレセプタクルハウジング１２１とを備えている。
【００２６】
レセプタクルコンタクト１１１は、レセプタクル保持部１１１ａと、レセプタクル保持部１１１ａの一側から一方へ延びているレセプタクル接触部１１１ｂと、レセプタクル保持部１１１ａの他側からレセプタクルハウジング１２１の外へ延びているレセプタクル端子部１１１ｃとを有している。
【００２７】
レセプタクルハウジング１２１は、樹脂材によって成型されており、プラグコネクタ１のプラグ嵌合部２３に嵌合するように略四角形状に形成されているレセプタクル嵌合部１２３と、レセプタクル嵌合部１２３に間隔もって互いに平行に配置されている一対の第１レセプタクル外壁部１３１，１３２と、一対の第１レセプタクル外壁部１３１，１３２の長手方向における両端に接続している一対の第２レセプタクル外壁部１３４，１３５を有している。
【００２８】
レセプタクル嵌合部１２３は、レセプタクルコンタクト１１１を配設したピッチ方向Ａに対応する両側に位置している一対の第１レセプタクル内壁部１２５，１２６と、一対の第１レセプタクル内壁部１２５，１２６間に位置している第２レセプタクル内壁部１２８とを有している。
【００２９】
第１レセプタクル内壁部１２５，１２６は、レセプタクルコネクタ１０１とプラグコネクタ１とが嵌合する際にプラグ嵌合部２３に対向する一対の第１レセプタクル嵌合面１２５ａ，１２６ａと、第１レセプタクル外壁部１３１，１３２に対向している一対の第１レセプタクル内壁面１２５ｂ，１２６ｂと、第２レセプタクル外壁部１３４，１３５の内面に対向している一対の第２レセプタクル内壁面１２５ｃ，１２６ｃとを有している。
【００３０】
第１レセプタクル外壁部１３１，１３２のそれぞれは、レセプタクルコネクタ１０１とプラグコネクタ１とが嵌合する際にプラグ嵌合部２３に対向する第１レセプタクル嵌合面１３１ａ，１３２ａと、第１レセプタクル内壁部１２５，１２６の第２レセプタクル内壁面１２５ｂ，１２６ｂのそれぞれに対向している第１レセプタクル内壁面１３１ｂ，１３２ｂと、第１レセプタクル外壁部１３１，１３２の外面である第１レセプタクル外壁面１３１ｃ，１３２ｃとを有している。
【００３１】
レセプタクルコネクタ１０１とプラグコネクタ１とが嵌合する際には、プラグ嵌合部２３の第１及び第２プラグ壁部２５，２６，２７，２８によって囲まれている部分における内側の第１及び第２プラグ内壁面２５ｂ，２６ｂ，２７ｂ、２８ｂに対向して第１レセプタクル内壁面１２５ｂ，１２６ｂ及び第２レセプタクル内壁面１２５ｃ，１２６ｃが嵌合する。
【００３２】
第１レセプタクル壁部１２５，１２６には、レセプタクル嵌合面１２５ａ，１２６ａと第１レセプタクル内壁面１２５ｂ，１２６ｂを覆う金属製のレセプタクル部材１４１,１４２が配設されている。
【００３３】
レセプタクル部材１４１，１４２は、レセプタクルハウジング１２１に保持されており、レセプタクル部材１４１，１４２の表面が第１レセプタクル内壁部１２５，１２６の表面と略同一面になるようにレセプタクルハウジング１２１にモールドインによって一体に保持されている。
【００３４】
第２レセプタクル外壁部１３４，１３５の外面には、レセプタクルコンタクト１１１のレセプタクル保持部１１１ａが保持されている。レセプタクルコンタクト１１１のレセプタクル接触部１１１ｂは、略Ｕ字状に形成されており、第２レセプタクル外壁部１３４，１３５の内面からレセプタクル内壁部１２５，１２６に形成されている溝部１３６に位置している。第２レセプタクル外壁部１３４，１３５の下面には、レセプタクルコンタクト１１１のレセプタクル端子部１１１ｃがピッチ方向Ａを直交する方向でレセプタクルハウジング１２１の外へ延びている。
【００３５】
図３は、プラグ部材４１，４２を示している。プラグ部材４１，４２は，これらが同じ形状となっている。
【００３６】
一方のプラグ部材４１は、第１プラグ壁部２５の第１プラグ内壁面２５ｂに対応する平板形状の第１プラグ板部４１ａと、第１プラグ板部４１ａの一辺からプラグ嵌合面２５ａ及び第１プラグ外壁面２５ｃに対応するように略逆Ｕ字状に曲げられている第２プラグ板部４１ｂとを有する。
【００３７】
さらに、一方のプラグ部材４１は、ピッチ方向Ａを直交する方向における一対の辺のそれぞれから第２プラグ板部４１ｂとは逆方向で略直角に曲げられている一対の第３プラグ板部４１ｃと、第１プラグ板部４１ａの下辺から第２プラグ板部４１ｂと同じ方向で略直角に曲げられているプラグ連結板部４１ｆと、プラグ連結板部４１ｆからピッチ方向Ａを直交する方向へ延びている一対のプラグ半田付け部４１ｄとを有している。
【００３８】
第２プラグ板部４１ｂの先端部分４１ｊは、第１プラグ壁部２５の第１プラグ外壁面２５ｃに配設される。一対の第３プラグ板部４１ｃは、プラグハウジング２１をモールドイン成型する際に第２プラグ壁部２７，２８に埋め込まれることによってプラグ部材４１が保持される。プラグ半田付け部４１ｄ，４２ｄは、プラグコンタクト１１のプラグ端子部１１ｃと同じ方向へ延びており、図示しない基板に半田によって接続される。なお、プラグ端子部１１ｃは、基板の導電パターン部に半田によって接続される。
【００３９】
他方のプラグ部材４２は、一方のプラグ部材４１と同じ形状となっている。プラグ部材４２は、第１プラグ壁部２６の第１プラグ内壁面２６ｂに対応する平板形状の第１プラグ板部４２ａと、第１プラグ板部４２ａの一辺からプラグ嵌合面２６ａ及び第１プラグ外壁面２６ｃに対応するように略逆Ｕ字状に曲げられている第２プラグ板部４２ｂとを有する。
【００４０】
また、他方のプラグ部材４２はピッチ方向Ａを直交する方向の一対の辺のそれぞれから第２プラグ板部４２ｂとは逆向に略直角に曲げられている一対の第３プラグ板部４２ｃと、第１プラグ板部４２ａの下辺から第２プラグ板部４２ｂと同じ方向で略直角に曲げられているプラグ連結板部４２ｆと、プラグ連結板部４２ｆからピッチ方向Ａを直交する方向へ延びている一対のプラグ半田付け部４２ｄとを有している。
【００４１】
第２プラグ板部４２ｂの先端部分４２ｊは、第１プラグ壁部２６の第１プラグ外壁面２６ｃに配設される。一対の第３プラグ板部４２ｃは、プラグハウジング２１をモールドイン成型する際に第２プラグ壁部２７，２８に埋め込まれることによってプラグ部材４２が保持される。プラグ半田付け部４２ｄは、プラグコンタクト１１のプラグ端子部１１ｃと同じ方向へ延びており、図示しない基板に半田によって接続される。なお、プラグ端子部１１ｃは、基板の導電パターン部に半田によって接続される。
【００４２】
図４は、レセプタクル部材１４１，１４２を示している。レセプタクル部材１４１，１４２は、これらが同じ形状となっている。
【００４３】
一方のレセプタクル部材１４１は、第１プラグ内壁部１２５の第１プラグ内壁面１２５ｂに対応する平板形状の第１レセプタクル板部１４１ａと、第１プラグ板部１４１ａの一辺からレセプタクル嵌合面１２５ａ及び第１レセプタクル内壁面１２５ｂに対して平行な方向へ曲げられている略逆Ｕ字状の第２プラグ板部１４１ｂとを有する。
【００４４】
また、一方のレセプタクル部材１４１は、ピッチ方向Ａを直交する方向の一対の辺のそれぞれから第２レセプタクル板部１４１ｂと同じ方向へ略直角に曲げられている一対の第３レセプタクル板部１４１ｃと、第１レセプタクル板部１４１ａの下辺から第２レセプタクル板部１４１ｂとは逆むきにかつ略直角に曲げられている第４レセプタクル板部１４１ｄと、ピッチ方向Ａを直交する方向で第２レセプタクル板部１４１ｄの二辺のそれぞれから連結板部１４１ｐを介して延びて両端部分に形成されている一対の半田付け部１４１ｅとを有する。
【００４５】
さらに、一方のレセプタクル部材１４１は、第４レセプタクル板部１４１ｄの近傍で第４レセプタクル板部１４１ｄに対して略直角に曲げられかつ第１レセプタクル板部１４１ａに平行な第５レセプタクル板部１４１ｆと、第５レセプタクル板部１４１ｆのそれぞれから第３レセプタクル板部１４１ｃに対して平行となるように曲げられている第６レセプタクル板部１４１ｇとを有する。
【００４６】
第２レセプタクル板部１４１ｂの先端部分１４１ｊ及び一対の第３レセプタクル板部１４１ｃは、レセプタクルハウジング１２１をモールドイン成型する際にレセプタクル内壁部１２５に埋め込まれることによってレセプタクル部材４１がレセプタクルハウジング１２１と一体に保持される。第６レセプタクル板部１４１ｇは、レセプタクルハウジング１２１をモールドイン成型する際に第２レセプタクル外壁部１３４，１３５に埋め込まれることによってレセプタクル部材１４１がレセプタクルハウジング１２１と一体に保持される。
【００４７】
レセプタクル半田付け部１４１ｅは、レセプタクルコンタクト１１１のレセプタクル端子部１１１ｃと同じ方向へ延びており、図示しない基板に半田によって接続される。なお、レセプタクル端子部１１１ｃは、基板の導電パターン部に半田によって接続される。
【００４８】
他方のレセプタクル部材１４２は、第１プラグ内壁部１２６の第１レセプタクル内壁面１２６ｂに対応する平板形状の第１レセプタクル板部１４２ａと、第１プラグ板部１４２ａの一辺からレセプタクル嵌合面１２６ａ及び第１レセプタクル内壁面１２６ｂに対して平行な方向へ曲げられている略逆Ｕ字状の第２レセプタクル板部１４２ｂとを有する。
【００４９】
また、他方のレセプタクル部材１４２は、ピッチ方向Ａを直交する方向の一対の辺のそれぞれから連結板部１４２ｐを介して第２レセプタクル板部１４２ｂと同じ方向へ略直角に曲げられている一対の第３レセプタクル板部１４２ｃと、第１レセプタクル板部１４２ａの下辺から第２レセプタクル板部１４２ｂとは逆むきにかつ略直角に曲げられている第４レセプタクル板部１４２ｄと、ピッチ方向Ａを直交する方向で第２レセプタクル板部１４２ｄの二辺のそれぞれから延びて両端部分に形成されている一対の半田付け部１４２ｅとを有する。
【００５０】
さらに、他方のレセプタクル部材１４２は、第４レセプタクル板部１４２ｄの近傍で第４レセプタクル板部１４２ｄに対して略直角に曲げられかつ第１レセプタクル板部１４２ａに平行な第５レセプタクル板部１４２ｆと、第５レセプタクル板部１４２ｆのそれぞれから第３レセプタクル板部１４２ｃに対して平行となるように曲げられている第６レセプタクル板部１４２ｇとを有する。
【００５１】
第２レセプタクル板部１４２ｂの先端部１４２ｊ及び一対の第３レセプタクル板部１４２ｃは、レセプタクルハウジング１２１をモールドイン成型する際にレセプタクル内壁部１２６に埋め込まれることによってレセプタクル部材４１がレセプタクルハウジング１２１と一体に保持される。第６レセプタクル板部１４１ｇは、レセプタクルハウジング１２１をモールドイン成型する際に第２レセプタクル外壁部１３４，１３５に埋め込まれることによってレセプタクル部材１４２がレセプタクルハウジング１２１と一体に保持される。
【００５２】
レセプタクル半田付け部１４２ｅは、レセプタクルコンタクト１１１のレセプタクル端子部１１１ｃと同じ方向へ延びており、図示しない基板に半田によって接続される。なお、レセプタクル端子部１１１ｃは、基板の導電パターン部に半田によって接続される。
【００５３】
プラグ部材４１，４２及びレセプタクル部材１４１，１４２は、金属製のプレートを打ち抜いた後に、曲げ加工を施すことによって製作することができる。
【００５４】
図５は、プラグコネクタ１とレセプタクルコネクタ１０１との嵌合前の状態を縦断面によって示している。図６は、プラグコネクタ１とレセプタクルコネクタ１０１との嵌合状態を縦断面によって示している。
【００５５】
図５及び図６をも参照して、レセプタクルコネクタ１０１のレセプタクル嵌合部１２３には、図５に示した状態からプラグコネクタ１のプラグ嵌合部２３が受け入れられて図６に示したように嵌合する。
【００５６】
プラグコネクタ１及びレセプタクルコネクタ１０１は、嵌合時にプラグ部材４１，４２の第１プラグ板部４１ａ，４２ａ及びレセプタクル部材１４１，１４２の第１レセプタクル板部１４１ａ，１４２ａ同士が接触して嵌合する。この際、プラグコンタクト１１及びレセプタクルコンタクト１１１のピッチ方向Ａにおける間隔において狭ピッチ時のピッチ方向Ａの接触ずれが解消される。
【００５７】
また、嵌合の際には、プラグ部材４１，４２及びレセプタクル部材１４１，１４２同士で嵌合が決まることによって繰り返し嵌合、抜去する時のプラグハウジング２１及びレセプタクルハウジング１２１が削れることや破損などを防止できるので、さらに嵌合、抜去時の強度が向上する。
【００５８】
図７は、プラグコネクタ１を横断面によって示している。図８は、レセプタクルコネクタ１０１を横断面によって示している。
【００５９】
図７及び図８によっても明らかなように、プラグ部材４１及びレセプタクル部材１４１は、プラグハウジング２１の一対の第２プラグ壁部２７，２８及びレセプタクルハウジング１２１の第１レセプタクル外壁部１３１，１３２及び第２レセプタクル外壁部１３４，１３５の内部にも補強板としてレセプタクル部材１４１，１４２が一体に埋め込まれているので、抜去時に回転方向における抉り抜去の際の剛性を高めることができる。
【００６０】
図７によって明らかなように、プラグ部材４１は、プラグハウジング２１の一対の第２プラグ壁部２７，２８の内部に補強板としてレセプタクル部材１４１，１４２の第３プラグ板部４１ｃ，４２ｃが一体に埋め込まれているので、抜去時に回転方向における抉り抜去の際の剛性を高めることができる。
【００６１】
また、図８によっても明らかなように、レセプタクル部材１４１は、レセプタクルハウジング１２１の第１レセプタクル外壁部１３１，１３２及び第２レセプタクル外壁部１３４，１３５の内部に補強板としてレセプタクル部材１４１，１４２の第３レセプタクル板部１４１ｃ，１４２ｃ及び第５レセプタクル板部１４１ｆ，１４２ｆが一体に埋め込まれているので、抜去時に回転方向における抉り抜去の際の剛性を高めることができる。
【００６２】
なお、プラグ部材４１，４２及びレセプタクル部材１４１，１４２においてプラグコネクタ１及びレセプタクルコネクタ１０１のどちらか一方にバネ片もしくは突部を形成し、嵌合の際に、バネ片及び突部がいずれかの方向で相手側のプラグ部材４１、４２及びレセプタクル部材１４１，１４２と接触するようにしてもよい。
【００６３】
また、プラグ部材４１のプラグ半田付け部４１ｄ及びレセプタクル部材１４１のレセプタクル半田付け部１４１ｅを必ずしも必要としない場合には、プラグ半田付け部４１ｄ及びレセプタクル半田付け部１４１ｅがない形態であってもよい。
【００６４】
図９は、図３に示した一方のプラグ部材４１からプラグ半田付け部４１ｄがない形態の応用例を示している。図１０は、図９に示したプラグ部材４１をプラグコネクタ１に保持した状態を示している。なお、他方のプラグ部材４２にプラグ半田付け部４２ｄがない場合も図９及び図１０と同じであるため説明を省略する。
【００６５】
図１１は、図４に示した一方のレセプタクル部材１４１のレセプタクル半田付け部１４１ｅがない形態の応用例を示している。図１２は、図１１に示したレセプタクル部材１４１をプラグコネクタ１に保持した状態を示している。なお、他方のレセプタクル部材１４２からレセプタクル半田付け部１４２ｅがない場合も図１１及び図１２と同じであるため説明を省略する。
【実施例２】
【００６６】
図１３は、プラグコネクタとレセプタクルコネクタとの実施例２を示している。図１４は、プラグコネクタとレセプタクルコネクタとの嵌合状態を示している。
【００６７】
なお、プラグコネクタは、実施例１によって説明したプラグコネクタと略同じ構成であるため同じ部分には同じ符号を付すことによって説明を省略する。また、レセプタクルコネクタは、レセプタクル部材を除く部分が、図２において説明したレセプタクルコネクタ１０１と略同じ形状であることから、同じ部分には同じ符号を付すことによって主要部分を除く部分の説明を省略する。
【００６８】
図１３及び図１４を参照して、レセプタクルコネクタ２０１は、図２に示したレセプタクルコネクタと同様な導電性のレセプタクルコンタクト１１１と、レセプタクルコンタクト１１１を保持している絶縁性のレセプタクルハウジング１２１とを有している。
【００６９】
レセプタクルハウジング１２１の第１レセプタクル外壁部１３１，１３２には、
レセプタクルコネクタ１０１とプラグコネクタ１とが嵌合する際にプラグ嵌合部２３に対向する第１レセプタクル嵌合面１３１ａ，１３２ａと、第１レセプタクル内壁部１２５，１２６の第２レセプタクル内壁面１２５ｂ，１２６ｂのそれぞれに対向している第１レセプタクル内壁面１３１ｂ，１３２ｂと、第１レセプタクル外壁部１３１，１３２の外面である第１レセプタクル外壁面１３１ｃ，１３２ｃとを有している。
【００７０】
第１レセプタクル外壁部１３１，１３２のレセプタクル嵌合面１３１ａ，１３２ａ及び第１レセプタクル内壁面１３１ｂ，１３２ｂには、レセプタクル嵌合面１３１ａ，１３２ａ及び第１レセプタクル内壁面１３１ｂ，１３２ｂを覆う金属製のレセプタクル部材２４１,２４２が配設されている。レセプタクル部材２４１，２４２は、これらが同じ形状となっている。
【００７１】
レセプタクル部材２４１，２４２は、レセプタクルハウジング１２１に保持されており、レセプタクル部材２４１，２４２の表面がレセプタクル嵌合面１３１ａ，１３２ａ及び第１レセプタクル内壁面１３１ｂ，１３２ｂの表面と略同一面になるようにレセプタクルハウジング１２１にモールドインによって一体に保持されている。
【００７２】
図１５にも示すように、一方のレセプタクル部材２４１は、第１レセプタクル壁部１３１の第１レセプタクル内壁面１３１ｂに対応する平板形状の第１レセプタクル板部２４１ａと、第１レセプタクル板部２４１ａの一辺からレセプタクル嵌合面１３１ａ及び第１レセプタクル外壁面１３１ｃに対応するように略逆Ｕ字状に曲げられている第２レセプタクル板部２４１ｂとを有する。
【００７３】
また、一方のレセプタクル部材２４１は、ピッチ方向Ａを直交する方向における一対の辺のそれぞれから第２レセプタクル板部２４１ｂとは逆方向で略直角に曲げられている一対の第３レセプタクル板部２４１ｃと、第１レセプタクル板部２４１ａの下辺から第２レセプタクル板部２４１ｂとは逆方向で略直角に曲げられているレセプタクル連結板部２４１ｆと、レセプタクル連結板部２４１ｆからピッチ方向Ａを直交する方向へ延びている一対のレセプタクル半田付け部２４１ｄとを有している。
【００７４】
第２レセプタクル板部２４１ｂの先端部分２４１ｊは、第１レセプタクル外壁面１３１ｃと同一面になるようにして配設される。一対の第３レセプタクル板部２４１ｃは、レセプタクルハウジング１２１をモールドイン成型する際に第２レセプタクル壁部１３４，１３５（図２を参照）に埋め込まれることによってレセプタクル部材４１が保持される。レセプタクル半田付け部２４１ｄは、レセプタクルコンタクト１１１のレセプタクル端子部１１１ｃと同じ方向へ延びており、図示しない基板に半田によって接続される。
【００７５】
さらに、図１５にも示すように、他方のレセプタクル部材２４２は、第１レセプタクル壁部１３２の第１レセプタクル内壁面１３２ｂに対応する平板形状の第１レセプタクル板部２４２ａと、第１レセプタクル板部２４２ａの一辺からレセプタクル嵌合面１３２ａ及び第１レセプタクル外壁面１３２ｃに対応するように略逆Ｕ字状に曲げられている第２レセプタクル板部２４２ｂとを有する。
【００７６】
また、他方のレセプタクル部材２４２は、ピッチ方向Ａを直交する方向における一対の辺のそれぞれから第２レセプタクル板部２４２ｂとは逆方向で略直角に曲げられている一対の第３レセプタクル板部２４２ｃと、第１レセプタクル板部２４２ａの下辺から第２レセプタクル板部２４２ｂとは逆方向で略直角に曲げられているレセプタクル連結板部２４２ｆと、レセプタクル連結板部２４２ｆからピッチ方向Ａを直交する方向へ延びている一対のレセプタクル半田付け部２４２ｄとを有している。
【００７７】
第２レセプタクル板部２４２ｂの先端部分２４２ｊは、第１レセプタクル外壁面１３２ｃと同一面になるようにして配設される。一対の第３レセプタクル板部２４１ｃは、レセプタクルハウジング１２１をモールドイン成型する際に第２レセプタクル壁部１３４，１３５（図２を参照）に埋め込まれることによってレセプタクル部材２４１が保持される。レセプタクル半田付け部２４２ｄは、レセプタクルコンタクト１１１のレセプタクル端子部１１１ｃと同じ方向へ延びており、図示しない基板に半田によって接続される。
【００７８】
図１３に示したように、レセプタクルコネクタ２０１のレセプタクル嵌合部１２３には、図１３に示した状態からプラグコネクタ１のプラグ嵌合部２３が受け入れられて図１４に示したように嵌合する。
【００７９】
プラグコネクタ１及びレセプタクルコネクタ２０１は、嵌合時にプラグ部材４１，４２の４１ｊ，４２ｊ及びレセプタクル部材１４１，１４２の第２プラグ板部４１ｂの先端部分４１ｊ同士が接触して嵌合する。この際、プラグコンタクト１１及びレセプタクルコンタクト２１１のピッチ方向Ａにおける間隔において狭ピッチ時のピッチ方向Ａの接触ずれが解消される。
【００８０】
また、嵌合の際には、プラグ部材４１，４２及びレセプタクル部材２４１，２４２同士で嵌合が決まることによって繰り返し嵌合、抜去する時のプラグハウジング２１及びレセプタクルハウジング１２１が削れることや破損などを防止できる。
【００８１】
プラグ部材４１及びレセプタクル部材２４１は、プラグハウジング２１の一対の第２プラグ壁部２７，２８及びレセプタクルハウジング１２１の第２レセプタクル外壁部１３４，１３５の内部にも補強板としての第３レセプタクル板部２４１ｃ，２４２ｃが一体に埋め込まれているので、抜去時に回転方向における抉り抜去の際の剛性を高めることができる。
【００８２】
なお、プラグ部材４１，４２及びレセプタクル部材２４１，２４２においてプラグコネクタ１及びレセプタクルコネクタ１０１のどちらか一方にバネ片もしくは突部を形成し、嵌合の際に、バネ片及び突部がいずれかの方向に相手側のプラグ部材４１、４２及びレセプタクル部材２４１，２４２と接触するようにしてもよい。
【００８３】
また、レセプタクル部材２４１のレセプタクル半田付け部２４１ｅを必ずしも必要としない場合には、レセプタクル部材２４１がない形態であってもよい。
【産業上の利用可能性】
【００８４】
本発明のプラグコネクタ及びレセプタクルコネクタは、プリント基板のような基板又はＦＰＣ（フレキシブル・プリンテッド・サーキット）などの接続に使用される様々な電子機器において実装するコネクタとしての用途にも適用できる。
【図面の簡単な説明】
【００８５】
【図１】本発明に係るプラグコネクタを示す斜視図である（実施例１）。
【図２】本発明に係るレセプタクルコネクタを示す斜視図である（実施例１）。
【図３】図１に示したプラグ部材を示す斜視図である。
【図４】図２に示したレセプタクル部材を示す斜視図である。
【図５】図１に示したプラグコネクタとレセプタクルコネクタとの嵌合前の状態を示す縦断面図である。
【図６】図５に示したプラグコネクタとレセプタクルコネクタとの嵌合状態を示す縦断面図である。
【図７】図１に示したプラグコネクタの横断面図である。
【図８】図２に示したレセプタクルコネクタの横断面図である。
【図９】図３に示したプラグ部材の変形例を示す斜視図である。
【図１０】図９に示した部材を保持したプラグコネクタの一部を示す斜視図である。
【図１１】図４に示したレセプタクル部材の変形例を示す斜視図である。
【図１２】図１１に示した部材を保持したレセプタクルコネクタの一部を示す斜視図である。
【図１３】本発明に係るレセプタクルコネクタをプラグコネクタとともに示した断面図である（実施例２）。
【図１４】図１３に示したレセプタクルコネクタとプラグコネクタとの嵌合状態を示す断面図である。
【図１５】図１３に示したレセプタクル部材を示す斜視図である。
【符号の説明】
【００８６】
１１    プラグコンタクト
２１    プラグハウジング
２３    プラグ嵌合部
２５，２６    第１プラグ壁部
２７，２８    第２プラグ壁部
２５ａ，２６ａ    第１プラグ嵌合面
２５ｂ，２６ｂ    第１プラグ内壁面
２５ｃ，２６ｃ    第１プラグ外壁面
４１,４２    プラグ部材
１０１，２０１    レセプタクルコネクタ
１２１    レセプタクルハウジング
１２３    レセプタクル嵌合部
１２５，１２６    第１レセプタクル内壁部
１２８    第２レセプタクル内壁部
１２５ａ，１２６ａ，１３１ａ，１３２ａ    第１レセプタクル嵌合面
１２５ｂ，１２６ｂ，１３１ｂ，１３２ｂ    第１レセプタクル内壁面
１２５ｃ，１２６ｃ    第２レセプタクル内壁面
１３１，１３２    第１レセプタクル外壁部
１３１ｃ，１３２ｃ    第１レセプタクル外壁面
１３４，１３５    第２レセプタクル外壁部
１４１,１４２，２４１，２４２    レセプタクル部材
【図１】
2006331679.tif 000003
【図２】
2006331679.tif 000004
【図３】
2006331679.tif 000005
【図４】
2006331679.tif 000006
【図５】
2006331679.tif 000007
【図６】
2006331679.tif 000008
【図７】
2006331679.tif 000009
【図８】
2006331679.tif 000010
【図９】
2006331679.tif 000011
【図１０】
2006331679.tif 000012
【図１１】
2006331679.tif 000013
【図１２】
2006331679.tif 000014
【図１３】
2006331679.tif 000015
【図１４】
2006331679.tif 000016
【図１５】
2006331679.tif 000017